(57)【要約】【課題】マルチキャストサービスにおける移動局（ＵＥ）からのＪｏｉｎの集中による輻輳の発生を抑える。【解決手段】無線通信システムのサービスアナウンス送信装置からサービスアナウンスの送信要求（ステップＳ０１）を受信したサービスノードが、第１のグループに属する基地局に対して、第１のサービスアナウンスを送信し（ステップＳ０２）、所定の時間が経過した後、前記サービスノードが、前記第１の基地局グループとは異なる第２ののグループに属する基地局に対して、第２のサービスアナウンスを送信する（ステップＳ０５）。【選択図】図３
2009130729.tif 000002
【特許請求の範囲】
【請求項１】
移動局に対してマルチキャストサービスを提供する無線通信システムに接続され、配下の基地局制御装置を介して基地局にマルチキャストデータを送信するサービスノードであって、
前記無線通信システムのサービスアナウンス送信装置からマルチキャストサービスの存在を知らせるサービスアナウンス送信要求を受信した場合に、配下の基地局をいくつかのグループに分けて、所定の時間間隔を空けて順番にサービスアナウンスを行うこと、
を特徴とするサービスノード。
【請求項２】
前記グループは、各基地局が属する基地局制御装置によって分けられている請求項１に記載のサービスノード。
【請求項３】
ＣＢＳ（セル・ブロードキャスト・サービス）を用いて前記サービスアナウンスを送信する請求項１又は２に記載のサービスノード。
【請求項４】
ＣＢＳ（セル・ブロードキャスト・サービス）及びＳＭＳ（ショート・メッセージ・サービス）を用いて前記サービスアナウンスを送信する請求項１又は２に記載のサービスノード。
【請求項５】
サービスアナウンスを行った下位のノードからの応答受信を条件に、次のグループの基地局に対するサービスアナウンスを実行する請求項１乃至４いずれか一に記載のサービスノード。
【請求項６】
更に、下位のノードの状態に応じて、前記所定の時間間隔を増減する手段を備える請求項１乃至５いずれか一に記載のサービスノード。
【請求項７】
移動局に対してマルチキャストサービスを提供する無線通信システムに接続されたサービスアナウンス送信装置であって、
基地局制御装置を介して基地局にマルチキャストデータを送信する配下のサービスノードに対し、
ＣＢＳ（セル・ブロードキャスト・サービス）を用いたサービスアナウンス又はＳＭＳ（ショート・メッセージ・サービス）を用いたサービスアナウンスのいずれか一方によるサービスアナウンスの送信要求を行ない、該送信要求より所定の時間が経過した時点で、他方によるサービスアナウンスの送信要求を行なう制御部を備えたこと、
を特徴とする無線通信システムのサービスアナウンス送信装置。
【請求項８】
更に、下位のノードの状態に応じて、前記所定の時間間隔を増減する手段を備える請求項７に記載の無線通信システムのサービスアナウンス送信装置。
【請求項９】
請求項１乃至６いずれか一に記載のサービスノードを含んだ無線通信システム。
【請求項１０】
請求項７又は８に記載のサービスアナウンス送信装置を含んだ無線通信システム。
【請求項１１】
移動局に対してマルチキャストサービスを提供する無線通信システムにおけるマルチキャストサービスの存在を通知するサービスアナウンスの送信方法であって、
前記無線通信システムのサービスアナウンス送信装置からサービスアナウンスの送信要求を受信したサービスノードが、第１のグループに属する基地局に対して、第１のサービスアナウンスを送信し、
所定の時間が経過した後、前記サービスノードが、前記第１の基地局グループとは異なる第２ののグループに属する基地局に対して、第２のサービスアナウンスを送信すること、
を特徴とするサービスアナウンスの送信方法。
【請求項１２】
前記グループは、各基地局が属する基地局制御装置によって分けられている請求項１１に記載のサービスアナウンスの送信方法。
【請求項１３】
前記サービスノードは、ＣＢＳ（セル・ブロードキャスト・サービス）を用いて前記サービスアナウンスを送信する請求項１１又は１２に記載のサービスアナウンスの送信方法。
【請求項１４】
前記サービスノードは、ＣＢＳ（セル・ブロードキャスト・サービス）及びＳＭＳ（ショート・メッセージ・サービス）を用いて前記サービスアナウンスを送信する請求項１１又は１２に記載のサービスアナウンスの送信方法。
【請求項１５】
前記サービスノードは、サービスアナウンスを行った下位のノードからの応答受信を条件に、次のグループの基地局に対するサービスアナウンスを実行する請求項１１乃至１４いずれか一に記載のサービスアナウンスの送信方法。
【請求項１６】
更に、前記サービスノードが、下位のノードの状態に応じて、前記所定の時間間隔を増減する請求項１１乃至１５いずれか一に記載のサービスアナウンスの送信方法。
【請求項１７】
更に、前記サービスノードが、第１のサービスアナウンス又は第２のサービスアナウンスから所定の時間が経過した後に、所定の基地局に対して、ＳＭＳ（ショート・メッセージ・サービス）でサービスアナウンスを送信する請求項１１乃至１６に記載のサービスアナウンスの送信方法。
【請求項１８】
更に、前記サービスノードが、更に、下位のノードの状態に応じて、前記所定の時間間隔を増減する請求項１１乃至１７いずれか一に記載のサービスアナウンスの送信方法。
【請求項１９】
移動局に対してマルチキャストサービスを提供する無線通信システムにおけるマルチキャストサービスの存在を通知するサービスアナウンスの送信方法であって、
前記無線通信システムのサービスアナウンス送信装置が、基地局制御装置を介して基地局にマルチキャストデータを送信する配下のサービスノードに対して、ＣＢＳ（セル・ブロードキャスト・サービス）を用いたサービスアナウンス又はＳＭＳ（ショート・メッセージ・サービス）を用いたサービスアナウンスのいずれか一方によるサービスアナウンスの送信要求を行ない、該送信要求より所定の時間が経過した時点で、前記配下のサービスノードに対して、他方によるサービスアナウンスの送信要求を行なうことを特徴とするサービスアナウンスの送信方法。
【請求項２０】
更に、前記無線通信システムのサービスアナウンス送信装置が、更に、下位のノードの状態に応じて、前記所定の時間間隔を増減する請求項１９に記載のサービスアナウンスの送信方法。
【請求項２１】
移動局に対してマルチキャストサービスを提供する無線通信システムのサービスノードを構成するコンピュータに実行させるプログラムであって、
前記無線通信システムのサービスアナウンス送信装置から受信したマルチキャストサービスの存在を知らせるサービスアナウンスの送信要求に基づき、第１のグループに属する基地局に対して、第１のサービスアナウンスを送信する処理と、
所定の時間が経過した後、前記第１のグループとは異なる第２のグループに属する基地局に対して、第２のサービスアナウンスを送信する処理と、を前記コンピュータに実行させるプログラム。
【請求項２２】
移動局に対してマルチキャストサービスを提供する無線通信システムのサービスアナウンス送信装置を構成するコンピュータに実行させるプログラムであって、
基地局制御装置を介して基地局にマルチキャストデータを送信する配下のサービスノードに対して、ＣＢＳ（セル・ブロードキャスト・サービス）を用いたサービスアナウンス又はＳＭＳ（ショート・メッセージ・サービス）を用いたサービスアナウンスのいずれか一方により、マルチキャストサービスの存在を知らせるサービスアナウンスの送信を要求する処理と、
該送信要求の時点より所定の時間が経過した時点で、配下のサービスノードに対して、他方によるサービスアナウンスの送信を要求する処理と、を前記コンピュータに実行させるプログラム。
【発明の詳細な説明】
【技術分野】
【０００１】
本発明は、マルチキャストサービスのサービスアナウンスの送信方法、サービスノード、無線通信システム及びプログラムに関し、特に、移動局に対してマルチキャストサービスを提供する無線通信システムにおける前記サービスアナウンスの送信方法、サービスノード、無線通信システム及びプログラムに関する。
【背景技術】
【０００２】
Ｗ−ＣＤＭＡシステムにおけるブロードキャスト（Ｂｒｏａｄｃａｓｔ）機能、マルチキャスト（Ｍｕｌｔｉｃａｓｔ）機能として、３ＧＰＰ（３ｒｄ  Ｇｅｎｅｒａｔｉｏｎ  Ｐａｒｔｎｅｒｓｈｉｐ  Ｐｒｏｊｅｃｔ）では、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）がＲｅｌｅａｓｅ６で仕様化されている。
【０００３】
特許文献１に、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）を提供する移動通信システムにおいて、ＣＢＳ（Ｃｅｌｌ  Ｂｒｏａｄｃａｓｔ  Ｓｅｒｖｉｃｅ）によりサービスアナウンスを行う例が開示されている。同公報の段落００１５には、マルチキャスト／放送−サービスセンタ（ＢＭ−ＳＣ）が、セル放送サービス（ＣＢＳ）を用い、あるいは、特定の移動局（ＵＥ）のみにサービスアナウンスを伝送する旨が記載されている。また、上記サービスアナウンスを受信した移動局は、希望するＭＢＭＳサービスを選択し、基地局制御装置（ＲＮＣ）に対して、ＭＢＭＳサービス要請を伝送することで、当該移動局に対するマルチキャストサービスが開始される。
【０００４】
特許文献２には、任意の通信装置から、マルチキャスト配信を行うサーバを介して、ＳＭＳ（Ｓｈｏｒｔ  Ｍｅｓｓａｇｅ  Ｓｅｒｖｉｃｅ）を利用して、特定のクライアントがマルチキャスト配信をされる情報を受信するために必要な処理を行うよう契機を与える要求情報を送信する構成が開示されている。
【０００５】
【特許文献１】特開２００４−１６６２１１号公報
【特許文献２】特開２００２−３１４５９９号公報
【発明の開示】
【発明が解決しようとする課題】
【０００６】
しかしながら、上記したマルチキャストサービスのサービスアナウンスの送信方法は、基本的に、上記ＣＢＳ等の放送サービスによりマルチキャストのサービス要求（以下、「Ｊｏｉｎ」という。）を募る方式であるため、多数の移動局から一斉にＪｏｉｎが送信され、輻輳が生じる可能性がある。
【０００７】
以下、図４、５を参照して、上記特許文献１に記載のサービスアナウンスの問題点について説明する。図４は、サービスセンタ（Ｂｒｏａｄｃａｓｔ  Ｍｕｌｔｉｃａｓｔ  Ｓｅｒｖｉｃｅ  Ｃｅｎｔｅｒ；以下、「ＢＭ−ＳＣ」と略する。）が、ＣＢＳを用いてサービスアナウンスを行う例である。ＢＭ−ＳＣより配下のＧＧＳＮ（Ｇａｔｅｗａｙ  ＧＰＲＳ  Ｓｕｐｐｏｒｔ  Ｎｏｄｅ）、ＳＧＳＮ（Ｓｅｒｖｉｃｅ  ＧＰＲＳ  Ｓｕｐｐｏｒｔ  Ｎｏｄｅ）に対して、ＣＢＳによるサービスアナウンスの送信要求が行われると（図４のステップＳ１１）、ＳＧＳＮが、配下の基地局制御装置（ＲＮＣ）にすべてにメッセージを送信する。
【０００８】
前記メッセージを受信した配下の基地局制御装置（ＲＮＣ）が、各基地局（Ｎｏｄｅ−Ｂ）を介してサービスアナウンスを送信する。サービスアナウンスを受信した移動局（ＵＥ）が、ほぼ同時期にＪｏｉｎを行うことにより（図４のステップＳ１２）、上記基地局制御装置（ＲＮＣ）や基地局（Ｎｏｄｅ−Ｂ）で構成されるＵＴＲＡＮや、上記ＢＭ−ＳＣ、ＧＧＳＮ、ＳＧＳＮで構成されるコアネットワークが輻輳することがある。
【０００９】
ＢＭ−ＳＣが、ＣＢＳ及びＳＭＳを用いてサービスアナウンスを行う場合も同様であり、図５の例では、ＣＢＳによるサービスアナウンス（図５のステップＳ２１）の後に、ＳＭＳによるサービスアナウンス（図５のステップＳ２２）を行っているが、この場合も、同様に、多数の移動局（ＵＥ）が、ほぼ同時期にＪｏｉｎを行う可能性がある。
【００１０】
本発明は、上記した事情に鑑みてなされたものであって、その目的とするところは、輻輳を防止できる、マルチキャストサービスのサービスアナウンスの送信方法、サービスノード、無線通信システム及びプログラムを提供することにある。
【課題を解決するための手段】
【００１１】
本発明の第１の視点によれば、移動局に対してマルチキャストサービスを提供する無線通信システムにおけるマルチキャストサービスの存在を通知するサービスアナウンスの送信方法であって、前記無線通信システムのサービスアナウンス送信装置からサービスアナウンスの送信要求を受信したサービスノードが、第１のグループに属する基地局に対して、第１のサービスアナウンスを送信し、所定の時間が経過した後、前記サービスノードが、前記第１の基地局グループとは異なる第２ののグループに属する基地局に対して、第２のサービスアナウンスを送信するサービスアナウンスの送信方法が提供される。
【００１２】
本発明の第２の視点によれば、移動局に対してマルチキャストサービスを提供する無線通信システムにおけるマルチキャストサービスの存在を通知するサービスアナウンスの送信方法であって、前記無線通信システムのサービスアナウンス送信装置が、基地局制御装置を介して基地局にマルチキャストデータを送信する配下のサービスノードに対して、ＣＢＳ（セル・ブロードキャスト・サービス）を用いたサービスアナウンス又はＳＭＳ（ショート・メッセージ・サービス）を用いたサービスアナウンスのいずれか一方によるサービスアナウンスの送信要求を行ない、該送信要求より所定の時間が経過した時点で、前記配下のサービスノードに対して、他方によるサービスアナウンスの送信要求を行なうことを特徴とするサービスアナウンスの送信方法が提供される。
【００１３】
本発明の第３の視点によれば、移動局に対してマルチキャストサービスを提供する無線通信システムに接続され、配下の基地局制御装置を介して基地局にマルチキャストデータを送信するサービスノードであって、前記無線通信システムのサービスアナウンス送信装置からマルチキャストサービスの存在を知らせるサービスアナウンス送信要求を受信した場合に、配下の基地局をいくつかのグループに分けて、所定の時間間隔を空けて順番にサービスアナウンスを行うサービスノード及び該サービスノード用のプログラムが提供される。
【００１４】
本発明の第４の視点によれば、移動局に対してマルチキャストサービスを提供する無線通信システムに接続されたサービスアナウンス送信装置であって、基地局制御装置を介して基地局にマルチキャストデータを送信する配下のサービスノードに対し、ＣＢＳ（セル・ブロードキャスト・サービス）を用いたサービスアナウンス又はＳＭＳ（ショート・メッセージ・サービス）を用いたサービスアナウンスのいずれか一方によるサービスアナウンスの送信要求を行ない、該送信要求より所定の時間が経過した時点で、他方によるサービスアナウンスの送信要求を行なう制御部を備える無線通信システムのサービスアナウンス送信装置及び該サービスアナウンス装置用のプログラムが提供される。
【００１５】
本発明の第５の視点によれば、上記したサービスノード又はサービスアナウンス装置の少なくともいずれか一方を含む無線通信システムが提供される。
【発明の効果】
【００１６】
本発明によれば、マルチキャストサービスにおける移動局（ＵＥ）からのＪｏｉｎの集中による輻輳の発生を抑えることが可能になる。その理由は、サービスアナウンスの受信時期が集中しないようサービスアナウンスを実施するように構成したことにある。
【発明を実施するための最良の形態】
【００１７】
続いて、本発明を実施するための最良の形態について図面を参照して詳細に説明する。図１は、本発明の第１の実施形態に係る無線通信システムの概略構成を表した図である。図１を参照すると、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１と、コアネットワーク（以下、「ＣＮ」とする。）２と、ＭＢＭＳサービスのデータを送信するＭＢＭＳサービスプロバイダ３１と、が示されている。
【００１８】
ＵＴＲＡＮ１は、基地局（Ｎｏｄｅ−Ｂ）１１と基地局制御装置（ＲＮＣ）１２で構成される無線アクセス網である。
【００１９】
基地局（Ｎｏｄｅ−Ｂ）１１は、基地局制御装置（ＲＮＣ）１２と接続され、図示省略する携帯電話端末等の移動局（ＵＥ）から、上りと下りの無線チャネルによって接続可能となっている。基地局制御装置（ＲＮＣ）１２は、ＣＮ２のＳＧＳＮ２３と接続されている。
【００２０】
ＣＮ２は、ＢＭ−ＳＣ２１、ＧＧＳＮ２２及びＳＧＳＮ２３で構成されるネットワークである。
【００２１】
ＢＭ−ＳＣ２１は、ＧＧＳＮ２２及びＭＢＭＳサービスプロバイダー３１と接続され、ＭＢＭＳサービスプロバイダ３１から、ＭＢＭＳサービスのデータを受信し、ＧＧＳＮ２２へそのデータを送信したり、サービスアナウンスなどのサービスを制御する信号を送受信したりする。
【００２２】
ＧＧＳＮ２２は、ＢＭ−ＳＣ２１、ＳＧＳＮ２３及びＩＳＰ（インターネットプロバイダ；図示省略）と接続され、サービスアナウンス送信要求メッセージ等のＭＢＭＳを制御する信号・メッセージを送受信したり、ＢＭ−ＳＣ２１からＭＢＭＳサービスのデータを受信し、ＳＧＳＮ２３へ転送したりする。また、ＧＧＳＮ２２は、ＩＳＰとのパケット通信データの送受信を行うゲートウェイ機能や呼処理に伴うローミング機能も有している。
【００２３】
ＳＧＳＮ２３は、ＵＴＲＡＮ１及び基地局制御装置（ＲＮＣ）１２と接続され、ＭＢＭＳサービスを制御する信号信号・メッセージを送受信したり、ＧＧＳＮ２２からＭＢＭＳサービスのデータを受信し、基地局制御装置（ＲＮＣ）１２へ転送し、基地局及びその先の移動局（ＵＥ）にマルチキャストデータを送信するサービスノードとして機能する。また、ＳＧＳＮ２３は、管轄するルーチングエリアに在圏する移動局（ＵＥ）の呼処理等を実行する交換機としても機能する。
【００２４】
図２は、図１のＢＭ−ＳＣ２１の構成例を表した図である。図２を参照すると、ＢＭ−ＳＣ２１は、ＭＢＭＳ制御部（サービス通知機能部）２１１と、送受信制御部２１２とを含んで構成される。
【００２５】
ＭＢＭＳ制御部（サービス通知機能部）２１１は、ＭＢＭＳサービスプロバイダ３１から受信したデータを管理する。また、ＭＢＭＳ制御部２１１は、ＭＢＭＳサービスアナウンスのためのＳＭＳメッセージやＣＢＳのメッセージを管理し、配下のＧＧＳＮ２２に対してＭＢＭＳサービスアナウンスを送信するよう指示するサービス通知機能としても動作する。
【００２６】
送受信制御部２１２は、ＭＢＭＳサービスプロバイダ３１及びＧＧＳＮ２２との制御信号やデータや制御信号のやりとりを行う。
【００２７】
その他、図１のＵＴＲＡＮ１とＵＴＲＡＮ内の基地局（Ｎｏｄｅ−Ｂ）１１および基地局制御装置（ＲＮＣ）１２は、当業者にとってよく知られており、また本発明とは直接関係しないので、その詳細な構成は省略する。
【００２８】
続いて、本実施形態におけるサービスアナウンスの送信動作について図面を参照して詳細に説明する。
【００２９】
図３を参照すると、任意のＭＢＭＳサービスの存在をユーザまで通知する必要が生じると、ＢＭ−ＳＣ２１は、ＧＧＳＮ２２に対し、ＣＢＳによるサービスアナウンスの送信要求を送信する（ステップＳ０１）。ＢＭ−ＳＣ２１よりＣＢＳによるサービスアナウンスの送信要求を受信したＧＧＳＮ２２は、ＳＧＳＮ２３に対して、サービスアナウンスの送信要求を転送する。
【００３０】
ＳＧＳＮ２３は、基地局制御装置（ＲＮＣ）１２に対して、ＣＢＳメッセージを送信するためサービスアナウンス要求メッセージ（ＷｒｉｔｅＲｅｐｌａｃｅ）を送信する（ステップＳ０２）。
【００３１】
ここで、ＳＧＳＮ２３は、ＳＧＳＮ２３配下の基地局制御装置（ＲＮＣ）１２のすべてに一斉にサービスアナウンス要求メッセージ（ＷｒｉｔｅＲｅｐｌａｃｅ）を送信するのではなく、所定の送信順序に従い、特定の基地局制御装置（ＲＮＣ）に対してのみサービスアナウンス要求メッセージ（ＷｒｉｔｅＲｅｐｌａｃｅ）を送信する。これに対して、基地局制御装置（ＲＮＣ）１２からは、応答メッセージ（ＷｒｉｔｅＲｅｐｌａｃｅＣｏｍｐｌｅｔｅ（ＷＲＣｏｍｐｌｅｔｅ））が送信される（ステップＳ０３）。
【００３２】
次の基地局制御装置（ＲＮＣ）に対するサービスアナウンス要求メッセージ（ＷｒｉｔｅＲｅｐｌａｃｅ）の送信は、基地局制御装置（ＲＮＣ）１２から応答メッセージ（ＷｒｉｔｅＲｅｐｌａｃｅＣｏｍｐｌｅｔｅ（ＷＲＣｏｍｐｌｅｔｅ））を受信し、かつ、先の基地局制御装置（ＲＮＣ）に対するサービスアナウンス要求メッセージ（ＷｒｉｔｅＲｅｐｌａｃｅ）の送信後、一定時間（ＣＢＳによるサービスアナウンス時間間隔）Ｔ１が経過してから行われることになる（ステップＳ０５）。
【００３３】
つまり、ＳＧＳＮ２３は、基地局制御装置（ＲＮＣ）１２単位で、サービスアナウンス要求メッセージ（ＷｒｉｔｅＲｅｐｌａｃｅ）の送信後（ステップＳ０２）、タイマを動作させ、タイマ値が一定値になり、かつ、基地局制御装置（ＲＮＣ）１２からの応答があったことを確認してから次の基地局制御装置（ＲＮＣ）１２に対するサービスアナウンス要求メッセージ（ＷｒｉｔｅＲｅｐｌａｃｅ）の送信を行なう（ステップＳ０５）。
【００３４】
このように本実施形態では、ＣＢＳによるサービスアナウンスについては、サービスアナウンス要求メッセージ（ＷｒｉｔｅＲｅｐｌａｃｅ）の送信するタイミングが基地局制御装置（ＲＮＣ）１２毎にずれているため、ユーザからのＪｏｉｎメッセージも分散されてＢＭ−ＳＣ２１へ送信される（ステップＳ０４、Ｓ０７）。
【００３５】
更に、本実施形態では、ＣＢＳによるサービスアナウンスと時間をずらして、特定の移動局（ＵＥ）に対してＳＭＳによるサービスアナウンスを実施することとしている。
【００３６】
図３を参照すると、ＢＭ−ＳＣ２１は、上記ステップＳ０１のＧＧＳＮ２２に対するＣＢＳによるサービスアナウンスの送信要求を送信してから、一定時間Ｔ２（但し、Ｔ２＞Ｔ１の総計）の経過後に、ＳＭＳによるサービスアナウンスを実施する（ステップＳ０８）。
【００３７】
このように本実施形態では、ＣＢＳによるサービスアナウンスによるＪｏｉｎとぶつからないよう、ＳＭＳによるサービスアナウンスを送信するタイミングを大きくずらしているため、ＳＭＳによるサービスアナウンスに対するユーザからのＪｏｉｎメッセージも分散されてＢＭ−ＳＣ２１へ送信される（ステップＳ０９）。
【００３８】
その後、Ｊｏｉｎを実施した移動局（ＵＥ）には、ＢＭ−ＳＣ２１よりＭＢＭＳデータが送信され、ＭＢＭＳサービスが開始される（ステップＳ１０）。
【００３９】
なお、上記した例では、ＣＢＳによるサービスアナウンスの後、ＳＭＳによるサービスアナウンスを行うものとして説明したが、ＳＭＳによるサービスアナウンスを先に行っても良いことはもちろんである。この場合、一定時間Ｔ２が、ＣＢＳによるサービスアナウンスの時間間隔Ｔ１の総計より大きい値である必要がないことはもちろんである。
【００４０】
以上のように、本実施形態では、基地局制御装置（ＲＮＣ）１２単位で、ＣＢＳによるサービスアナウンスの送信タイミングをずらして送信しているので、ＳＧＳＮ２３配下の基地局制御装置（ＲＮＣ）１２の配下の移動局（ＵＥ）から一斉にＪｏｉｎされることを回避することが可能となっている。
【００４１】
更に、本実施形態では、ＣＢＳ、ＳＭＳといった異なる方式によるサービスアナウンスも、それぞれ時間間隔を置いて送信しているので、この意味でも、ＳＧＳＮ２３配下の基地局制御装置（ＲＮＣ）１２の配下の移動局（ＵＥ）から一斉にＪｏｉｎされることを回避することが可能となっている。
【００４２】
以上のように、本実施形態では、異なる基地局制御装置（ＲＮＣ）１２に属する移動局（ＵＥ）から一斉にＪｏｉｎされることがないようにしているため、Ｊｏｉｎを受信し処理を行うノード（ＲＮＣ、ＳＧＳＮ等）における輻輳を防止することが可能となっている。
【００４３】
以上、本発明の好適な実施形態を説明したが、本発明は、上記した実施形態に限定されるものではなく、本発明の基本的技術的思想を逸脱しない範囲で、更なる変形・置換・調整を加えることができる。例えば、上記した実施形態では、ＢＭ−ＳＣ２１のＭＢＭＳ制御部２１１に、ＳＭＳ機能とＣＢＳ機能の制御部（サービス通知機能部）を備えさせ、サービスアナウンス送信装置として機能するものとして説明したが、ＢＭ−ＳＣ２１とは別に、ＳＭＳ機能とＣＢＳ機能を制御するサービスアナウンス送信装置を設けて、ＣＮ２の任意の位置に配置することも可能である。
【００４４】
また例えば、上記した実施形態では、ＣＢＳによるサービスアナウンス後、一定時間間隔Ｔ１の経過後、かつ、応答受信を条件に、次の基地局制御装置（ＲＮＣ）１２に対するサービスアナウンスを行うものとして説明したが、基地局制御装置（ＲＮＣ）１２からの応答受信を条件としないことも可能である。また、基地局制御装置（ＲＮＣ）１２からの応答を受信してからタイマ等を動作させ、一定時間間隔の経過後に、次の基地局制御装置（ＲＮＣ）１２に対するサービスアナウンスを行うようにしてもよい。
【００４５】
更には、上記した実施形態では、ＣＢＳによるサービスアナウンス同士の送信時間間隔Ｔ１と、ＣＢＳによるサービスアナウンスとＳＭＳによるサービスアナウンスの送信時間間隔Ｔ２を設定する例を挙げて説明したが、これらの値は、システムの規模、移動局の数、あるいは、時間帯等により、適宜変更することができる。また、ＢＭ−ＳＣ２１やサービスアナウンス送信装置、ＧＧＳＮ２２、あるいは、ＳＧＳＮ２３側に、ＵＴＲＡＮ１側の負荷や各セルの移動局数を取得乃至測定する手段を備えて、動的に、上記送信時間間隔Ｔ１、Ｔ２を増減する構成も採用することが可能である。
【図面の簡単な説明】
【００４６】
【図１】本発明の第１の実施形態に係る無線通信システムの概略構成を表した図である。
【図２】本発明の第１の実施形態に係るＢＭ−ＳＣの詳細構成を表した図である。
【図３】本発明の第１の実施形態のサービスアナウンスの送信動作を表したシーケンス図である。
【図４】本発明に関連する無線通信システムにおけるサービスアナウンスの送信動作を表したシーケンス図である。
【図５】本発明に関連する無線通信システムにおけるサービスアナウンスの送信動作を表した別のシーケンス図である。
【符号の説明】
【００４７】
１  ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）
２  コアネットワーク（ＣＮ）
１１  基地局（Ｎｏｄｅ−Ｂ）
１２  基地局制御装置（ＲＮＣ）
２１  ＢＭ−ＳＣ（Ｂｒｏａｄｃａｓｔ  Ｍｕｌｔｉｃａｓｔ  Ｓｅｒｖｉｃｅ  Ｃｅｎｔｅｒ）
２２  ＧＧＳＮ（Ｇａｔｅｗａｙ  ＧＰＲＳ  Ｓｕｐｐｏｒｔ  Ｎｏｄｅ）
２３  ＳＧＳＮ（Ｓｅｒｖｉｃｅ  ＧＰＲＳ  Ｓｕｐｐｏｒｔ  Ｎｏｄｅ）
３１  ＭＢＭＳサービスプロバイダ
２１１  ＭＢＭＳ制御部（サービス通知機能部）
２１２  送受信制御部
【図１】
2009130729.tif 000003
【図２】
2009130729.tif 000004
【図３】
2009130729.tif 000005
【図４】
2009130729.tif 000006
【図５】
2009130729.tif 000007